(57)【要約】【課題】装置の複雑化や大型化を招くことなく、磁気カード１の搬送スピードが多少変化してもデータの録再生を正確に行う。【解決手段】磁気カード１の磁気ストライプ２上に周波数変調記録方式で磁気記録データを記録する磁気データ記録方法において、磁気記録データの１ビットを規定長さＬでの複数個の連続した磁気信号で構成する。【選択図】　　　　図１
2004005845.tif 000002
【特許請求の範囲】
【請求項１】
磁気記録媒体の磁気ストライプ上に周波数変調記録方式で磁気記録データを記録する磁気データ記録方法において、前記磁気記録データの１ビットを規定長さでの複数個の連続した磁気信号で構成することを特徴とする磁気データ記録方法。
【請求項２】
前記磁気記録データの読み出し時には、前記規定長さにおける平均記録密度により判断することを特徴とする請求項１記載の磁気データ記録方法。
【発明の詳細な説明】
【０００１】
【発明の属する技術分野】
本発明は、磁気記録媒体への磁気データの記録方法に関する。更に詳述すると、本発明は磁気ストライプ上に特にＦ２Ｆ周波数変調記録方式で記録するのに適した記録方法に関する。
【０００２】
【従来の技術】
磁気記録媒体としての磁気カードの磁気ストライプ上に例えばＦ２Ｆ周波数変調記録方式で磁気記録データを記録するには、読み取り用または書き込み用のヘッドの下に磁気カードを移動させてデータを記録する。このとき、１ビットのデータとしては０および１の２値が使用される。
【０００３】
この２値は磁気信号の記録密度の差を利用して記録している。例えば図８に示すように、「０」の記録密度（０．５周期／基準周波数）を基準記録密度として、「１」を基準記録密度の２倍の記録密度（１周期／２倍の周波数）で記録する。そして、複数のデータを記録するために、いずれかの記録密度を選択して順に並べて書き込む。また、このデータを読み取るときは、各磁気信号の変化点での間隔を計測して判断する。
【０００４】
このような形式の磁気データを扱うためには、データの読み出し時に正確に各記録密度を計測する必要があると共に、書き込み時には各記録密度を正確に記録する必要がある。このため、カードリーダライタは磁気カードを一定のスピードで搬送するか、または磁気カードの搬送スピードに正確に追従する信号に同期させる書き込む必要がある。
【０００５】
【発明が解決しようとする課題】
しかしながら、上述した磁気記録方法では、１ビットのデータが１周期または０．５周期の磁気信号であると共に連続して並んでいるので、データの読み取り中に磁気カードの搬送スピードが１箇所でも変化してしまうと以降のデータの読み取りまで大きく影響し、データの読み取りが全てエラーになってしまうことがある。このため、カードリーダライタの磁気カード搬送を高精度に行わなければならず、装置の構造および制御回路が複雑化かつ大型化してしまう。
【０００６】
また、１ビットの時間を長くすることにより基準記録密度を小さくすればカード搬送スピードの変動に対応し易くなるが、あまりに基準記録密度を小さくすると磁気信号間の間隔が大きく開いてしまい無信号区間が長くなってしまう。そして、この無信号区間はノイズを拾い易いことから、外来ノイズに弱くなってしまう。
【０００７】
そこで、本発明は、装置の複雑化や大型化を招くことなく、例えば磁気カードなどの磁気記録媒体の搬送スピードが多少変化してもデータの録再生を正確に行える磁気データ記録方法を提供することを目的とする。
【０００８】
【課題を解決するための手段】
かかる目的を達成するために請求項１記載の発明は、磁気記録媒体の磁気ストライプ上に周波数変調記録方式で磁気記録データを記録する磁気データ記録方法において、磁気記録データの１ビットを規定長さでの複数個の連続した磁気信号で構成するようにしている。
【０００９】
したがって、規定長さにおける複数の磁気信号により１ビットが構成されているので、この規定長さでの磁気信号の平均記録密度または磁気信号の数に基づいて記録データを録再生することができる。このため、磁気記録媒体例えば磁気カードのデータの読み取り中に磁気カードの搬送スピードが変化して１つ１つの磁気信号の読み取りが前後に多少ずれても、ビットの記録データを正しく判断することができる。
【００１０】
また、磁気信号の記録密度は従来のものと代わらないので、無信号区間が長くなることを防止できる。よって、従来と同等のノイズ耐性および信頼性を持った安価なカードリーダを得ることができる。
【００１１】
そして、請求項２記載の発明は、請求項１記載の磁気データ記録方法において、磁気記録データの読み出し時には、規定長さにおける平均記録密度により判断するようにしている。
【００１２】
したがって、磁気記録媒体である磁気カードのデータの読み書きの際に磁気カードの搬送スピードが変化しても、データ読み取り時の平均記録密度の値は殆ど変化しないのでビットの記録データを正しく判断することができる。
【００１３】
【発明の実施の形態】
以下、本発明の構成を図面に示す最良の形態に基づいて詳細に説明する。
【００１４】
図１〜図７に、本発明を適用した磁気データ記録方法の実施形態の一例を示す。この磁気データ記録方法は、磁気記録媒体としての磁気カード１の磁気ストライプ２上に周波数変調記録方式で磁気記録データを記録する磁気データ記録方法において、磁気記録データの１ビットを規定長さＬでの複数個の連続した磁気信号３で構成するようにしている。このため、規定長さＬにおける複数の磁気信号３により１ビットが構成されているので、この規定長さＬでの磁気信号３の平均記録密度または磁気信号３の数に基づいて記録データを録再生することができる。よって、磁気カード１のデータの読み取り中にカード１の搬送速度が変動（ジッタ成分）して１つ１つの磁気信号３の読み取りが前後に多少ずれても、ビットの記録データを正しく判断することができる。このため、磁気カードへの書き込みには適さない構造のカードリーダ（読み取り専用機）にも、搬送構造を変更することなく、磁気カードに磁気データを書き込みする機能を追加することができる。また、磁気リードおよびライトの信頼性を維持しながらカードリーダの搬送系を簡易化することができ、低価格かつ小型の磁気カードリーダライタを実現することができる。更に、磁気信号３の記録密度は従来のものと違わないので、無信号区間が長くなることを防止できる。これにより、従来と同等のノイズ耐性および信頼性を持った安価なカードリーダを得ることができる。
【００１５】
本実施形態では、図２に示すように規定長さＬの中に５周期の磁気信号３がある場合を「１」、２．５周期の磁気信号３がある場合を「０」としている。そして、記録データの読み出し時には、規定長さＬにおける平均記録密度により判断するようにしている。このため、磁気カード１のデータの読み書きの際に磁気カード１の搬送スピードが変化しても、データ読み取り時の平均記録密度の値は殆ど変化しないのでビットの記録データを正しく判断することができる。
【００１６】
そして、規定長さＬとしては例えば３ｍｍ程度としている。但し、この数値に限られないのは勿論である。この規定長さＬは搬送速度の変動し得る大きさに応じて設定する。
【００１７】
また、磁気データの読み取り時には、１ビットの規定長さＬの１／２以下の時間間隔で磁気信号３の変化数を計測する。これにより、結果的には平均記録密度に相当する値を得ることができる。よって、従来のように磁気信号３の変化点の間隔を計測する場合に比べて磁気信号３の復調を容易にすることができる。
【００１８】
上述した磁気データ記録方法をカードリーダライタに適用した実施形態について以下に説明する。このカードリーダライタは、磁気カード１をモータ駆動のローラにより内部に取り込んで搬送し、磁気カード１に対して磁気データを読み書きするものである。このカードリーダライタは、図３に示すように磁気カード１から磁気信号３を読み取るリードヘッド４と、該リードヘッド４からの信号を整形する波形整形回路５と、磁気カード１に磁気信号３を書き込むライトヘッド６と、該ライトヘッド６に信号を送る書き込み回路７と、波形整形回路５および書き込み回路７を制御するマイクロプロセッサ８とを備えている。
【００１９】
上述した磁気データ記録方法により磁気データを読み出す手順を以下に説明する。図４に示すように、リード処理が開始されると（ステップ１）、磁気カード１の搬送が始まる（ステップ２）。そして、磁気変化による割込あるいは定期的な割込を許可しカウンタをスタートする（ステップ３）。磁気カード１の搬送が終了するか否かを検出して（ステップ４）、終了したならば（ステップ４；Ｙｅｓ）、磁気カード１の搬送を停止する（ステップ５）。これにより、磁気データの読み出し処理が終了する（ステップ６）。
【００２０】
また、ステップ３で許可した磁気変化に基づく割り込みの手順を図５に示す。リードヘッド４からの磁気信号３を処理した結果、磁気変化が認められると、割り込みが開始される（ステップ７）。そして、カウンタが１だけ加算され（ステップ８）、割り込みは終了する（ステップ９）。
【００２１】
また、ステップ３で許可した定期的な割り込みの手順を図６に示す。規定長さＬに対応して１ビットの区切りごとに定期的に割り込みを入れるようにする（ステップ１０）。このときは、カウンタ値をセーブして編集処理に回すと共にセーブしたアドレス、即ちカウンタ値のアドレスを１だけ加算する（ステップ１１）。その後、カウンタはクリアして（ステップ１２）、割り込みは終了する（ステップ１３）。
【００２２】
そして、セーブしたカウンタの値およびそのアドレスに対して編集処理を行う（ステップ１４）。これは、カウンタ値に基づいて記録密度を判定する（ステップ１５）。また、この記録密度に基づいてビットが１か０かを判断する。すなわち、図２に示すものでは、カウンタ値が例えば９〜１１であるときにビットを「１」と判断すると共に、カウンタ値が例えば４〜６であるときにビットを「０」と判断する。そして、次のビット位置があるかを判断して（ステップ１６）、あるならば（ステップ１６；Ｙｅｓ）、アドレスを１つ増やして次のビット位置について記録密度の判定を行う（ステップ１５）。次のビット位置が無ければ（ステップ１６；Ｎｏ）編集処理を終了する（ステップ１７）。
【００２３】
また、この編集処理と同じことを図１を用いて説明すると、磁気信号３の無い部分９では出力が無いが、磁気信号３が高密度の部分１０では高い記録密度が検出される。一方、磁気信号３が低密度の部分１１では低い記録密度が検出される。そして、高い記録密度と低い記録密度との間に閾値Ｓを設定して、この閾値Ｓより高ければ「１」、低ければ「０」と判定するようにしている。
【００２４】
なお、上述の形態は本発明の好適な形態の一例ではあるがこれに限定されるものではなく本発明の要旨を逸脱しない範囲において種々変形実施可能である。例えば、本実施形態ではビットが１と０とで記録密度が２倍違うが、これには限られず記録密度差を更に大きくしても良い。この場合、閾値Ｓを設定し得る上下の範囲が更に広がるので、磁気カード１の搬送速度変動の誤差を小さくすることができる。
【００２５】
また、上述した実施形態では図１に示すように磁気ストライプ２に本発明の記録方法による磁気信号３のみを記録しているが、これには限られず従来の記録方法による磁気信号を併用しても良い。この場合、従来の読み出し方法を採用する既存のカードリーダも使用することができるので、使用範囲を広げることができる。
【００２６】
【発明の効果】
以上説明したように、請求項１記載の磁気データ記録方法によれば、磁気記録データの１ビットを規定長さでの複数個の連続した磁気信号で構成するようにしているので、この規定長さでの磁気信号の平均記録密度または磁気信号の数に基づいて記録データを録再生することができる。このため、磁気記録媒体のデータの読み取り中に磁気記録媒体の搬送スピードが変化して１つ１つの磁気信号の読み取りが前後に多少ずれても、ビットの記録データを正しく判断することができる。
【００２７】
また、請求項２記載の磁気データ記録方法によれば、磁気記録データの読み出し時には規定長さにおける平均記録密度により判断しているので、磁気記録媒体のデータの読み書きの際に磁気記録媒体の搬送スピードが変化しても、データ読み取り時の平均記録密度の値は殆ど変化せずビットの記録データを正しく判断することができる。
【図面の簡単な説明】
【図１】本発明の磁気データ記録方法により磁気記録データを記録した磁気カードを示す概念図である。
【図２】磁気データ記録方法により記録した磁気記録データの磁気信号を示すグラフである。
【図３】磁気データ記録方法を適用したカードリーダライタの主要部を示すブロック図である。
【図４】磁気データ記録方法によりリード処理を行うときのフローチャートである。
【図５】磁気変化により割り込み処理を行うときのフローチャートである。
【図６】定期的に割り込み処理を行うときのフローチャートである。
【図７】リード処理後に編集処理を行うときのフローチャートである。
【図８】従来の磁気データ記録方法により記録した磁気データの磁気信号を示すグラフである。
【符号の説明】
１　磁気記録カード
２　磁気ストライプ
３　磁気信号
Ｌ　規定長さ
【図１】
2004005845.tif 000003
【図２】
2004005845.tif 000004
【図３】
2004005845.tif 000005
【図４】
2004005845.tif 000006
【図５】
2004005845.tif 000007
【図６】
2004005845.tif 000008
【図７】
2004005845.tif 000009
【図８】
2004005845.tif 000010